(57)【要約】【課題】外出先等における、新生児を含む乳幼児に、快適な育児環境を提供することと、使用者には、操作が簡便、かつ見映えが良好で、肩、腰等への負担が軽減された、外出先での授乳が可能で、子育てに伴うストレスを抑制する、幼児用スリングを提供する。【解決手段】スリングＳは、本体部１を構成する、包持部２、肩掛け３及び該肩掛け３の長さを調整する長さ調整具４と、肩当て材５、ケープ６及び包持部２に形成されたポケット７からなる。【選択図】図１
0003125717.tif 000002
【実用新案登録請求の範囲】
【請求項１】
矩形状布体の長辺中心部から両端部へ対称的に略同寸長さの部位を窄め、上部を開口し底部を曲面としたゆりかご状に縫製してなる乳幼児包持部と、前記乳幼児包持部の両端から延設される帯状肩掛けと、該帯状肩掛けに装着される、肩掛けの長さを調整する長さ調整具と、からなる本体部と、
前記帯状肩掛けに装着される肩当て材と、
前記本体部に収納される折り畳み可能な首掛紐付き授乳用ケープと、
から構成されることを特徴とする乳幼児用スリング。
【請求項２】
前記乳幼児包持部及び帯状肩掛けの素材布体が綿繊維１００％であることを特徴とする、請求項１記載の乳幼児用スリング。
【請求項３】
前記乳幼児包持部外周面の略中央底部に授乳用ケープ収納用ポケットを形成したことを特徴とする、請求項１〜請求項２の何れかに記載の乳幼児用スリング。
【請求項４】
前記肩当て材には、クッション材を内蔵すると共に、面ファスナーを介して前記帯状肩掛けに摺動かつ着脱自在としたことを特徴とする、請求項１〜請求項３の何れかに記載の乳幼児用スリング。
【請求項５】
前記授乳用ケープは、平面視略方形又は台形状のシート状布体からなり、少なくとも、前記乳幼児包持部の開口を全面的に被覆する大きさとし、かつ上周縁に首掛紐と該首掛紐の長さ調節用半円リングを止着していることを特徴とする、請求項１〜請求項４の何れかに記載の乳幼児用スリング。
【請求項６】
前記授乳用ケープの下端裏面部に面ファスナーを逢着していることを特徴とする、請求項１〜請求項５の何れかに記載の乳幼児用スリング。
【請求項７】
前記授乳用ケープ収納用ポケットの蓋片裏面には面ファスナーを逢着していることを特徴とする、請求項１〜請求項６の何れかに記載の乳幼児用スリング。
【考案の詳細な説明】
【技術分野】
【０００１】
本考案は、乳幼児用スリングに係り、より詳しくは、特に母親等の使用者が、新生児から３歳児くらいまでの乳幼児を同行しての外出時や家での子守等に際し、該使用者が乳幼児を横抱きする、乳幼児用スリング関する。
【背景技術】
【０００２】
従来より、乳幼児を抱くか又は背負うための子守帯、抱っこ紐、スリング等と呼称される、いわゆる乳幼児保持具には、母親等が背中に背負うタイプと、体の前方で抱くタイプがある。近年、乳幼児の抱き方について、前方で抱くスリングタイプが、日本、アメリカをはじめ世界各国で見直されている。これは、母親等が乳幼児を包み込むように肌と密着する姿勢と感覚は、乳児が胎内にいた状態に近似しているので、乳児は精神的に安心し、夜泣き、疳の虫等が抑制され、夜の寝つきがよくなり、また母親等にも肩、腰等への負担が軽減されると共に、子育てに伴うストレスが抑制されるという、育児研究報告によるものと思われる。
【０００３】
乳幼児用スリングは、リング式と非リング式に大別できる。リング式の子守帯ないし乳幼児リングとして、各種の提案がなされている。例えば特開２００５−２８８１０７の「子守帯」、特開２００３−４７５４２の「乳幼児用スリング」、登録実用新案３１０１０７５の「布の巾を広く取り肩えの負担を軽減したポケット及び帽子兼用付きの乳幼児用スリング」等である。上記のリング式の乳幼児用スリング等には、何れも構造的には簡素ではあるが、以下の問題点が指摘される。まず、乳幼児用スリング等を使用しているとき、リングに乳幼児の頭部や髪がリングに当たったり、挟まれたりする。またリングによりスリングの本体部（抱持部）が狭小となり、そのために乳幼児の姿勢は窮屈となり首が曲がって息苦しくなる。したがって、首が座っていない新生児には不適合であり、また授乳に際しては、乳幼児が本体内に深く入り込むので、授乳が困難となる。さらにテール部（リングから垂下したスカーフ状布体）が車等のドアに挟みこまれたり、又は突起物に引っ掛かり、事故やけがの原因ともなる。また授乳に際しては、抱き変えないと両乳房での授乳ができない等々の欠点を有する。
【０００４】
非リング式は、幅広の布体を左右何れかの肩から脇下に袈裟掛けにして使用され、使い勝手は良いが、長さの調整が困難で、背中部分がより広幅となるので、夏季等の外気温が高いときは、使用者にはより暑苦しくなり、その見映えも悪い。                        
【特許文献１】特開２００５−２８８１０７号公報
【特許文献２】特開２００３−４７５４２号公報
【特許文献３】登録実用新案第３１０１０７５号公報
【考案の開示】
【考案が解決しようとする課題】
【０００５】
本考案が解決しようとする第１の課題は、外出先等における、新生児を含む乳幼児に、快適な育児環境を提供することにあり、第２の課題は、使用者には、操作が簡便、かつ見映えが良好で、肩、腰等への負担が軽減された、外出先や来客時などの人と面会中での授乳が可能で、子育てに伴うストレスを抑制する、乳幼児用スリングを提供することにある。
【課題を解決するための手段】
【０００６】
本考案者は、上記、従来技術の特許文献１〜特許文献３及び非リング式乳幼児用スリングが有する種々の問題点を解消するために、鋭意検討を重ねて本考案を完成したもので、課題を解決するための手段は、本願、実用新案登録請求の範囲の各請求項に記載の考案であり、その具体的な解決手段は、以下の通りである。
【０００７】
課題を解決するための第１の考案は、請求項１に記載の考案であり、矩形状布体の長辺中心部から両端部へ対称的に略同寸長さの部位を窄め、上部を開口し底部を曲面としたゆりかご状に縫製してなる乳幼児包持部と、前記乳幼児包持部の両端から延設される帯状肩掛けと、該帯状肩掛けに装着される、肩掛けの長さを調整する長さ調整具と、からなる本体部と、前記帯状肩掛けに装着される肩当て材と、前記本体部に収納される折り畳み可能な首掛紐付き授乳用ケープと、から構成されることを特徴としている。
【０００８】
課題を解決するための第２の考案は、請求項２に記載の考案であり、前記乳幼児包持部及び帯状肩掛けの素材布体が綿繊維１００％であることを特徴としている。
【０００９】
課題を解決するための第３の考案は、請求項３に記載の考案であり、前記乳幼児包持部外周面に授乳用ケープ収納用ポケットを形成したことを特徴としている。
【００１０】
課題を解決するための第４の考案は、請求項４に記載の考案であり、前記肩当て材は、クッション材を内蔵すると共に、面ファスナーを介して前記帯状肩掛けに摺動かつ着脱自在としたことを特徴としている。
【００１１】
課題を解決するための第５の考案は、請求項５に記載の考案であり、前記授乳用ケープは、平面視略方形又は台形状のシート状布体からなり、少なくとも、前記乳幼児包持部の開口を全面的に被覆する大きさとし、かつ上周縁に首掛紐と該首掛紐の長さ調節用半円リングを止着していることを特徴としている。
【００１２】
課題を解決するための第６の考案は、請求項６に記載の考案であり、前記授乳用ケープの下端裏面部に面ファスナーを逢着していることを特徴としている。
【００１３】
課題を解決するための第７の考案は、請求項７に記載の考案であり、前記授乳用ケープ収納用ポケットの蓋片裏面には面ファスナーを逢着していることを特徴としている。
【考案の効果】
【００１４】
本考案に係る、乳幼児用スリングは、上記の構成になるから以下の効果を奏する。即ち第１の考案によれば、乳幼児包持部は、矩形状布体の中心部から対称的に略同寸長さの部位を窄め、上部を開口し底部を曲面としたゆりかご状に縫製してなるから、乳幼児の包持部は長く構成され、継ぎ目がなく、かつ包持面積に余裕があり、抱き変えなしで両乳房による授乳を交互にでき、第１の課題である、外出先や来客時人と面会中、新生児を含む乳幼児に、快適な育児環境を提供できる。また帯状肩掛けの長さは、長さ調整具によって乳幼児用スリングの使用者の体格に適合する長さに調整され、該肩掛けには肩当て材が装着され、首掛紐付き授乳用ケープが本体部に収納されているから、使用者には、操作が簡便、かつ見映えが良好で、肩、腰等への負担が軽減され、外出先や来客時人と面会中での授乳が可能で、子育てに伴う各種のストレスを抑制することができる。これにより、第２の課題を解決できる。
【００１５】
第２の考案によれば、乳幼児用スリングを構成する主要部の乳幼児包持部及び帯状肩掛けの素材布体が、綿繊維１００％であるから、通気性、包持性が良好で、かつ乳幼児の敏感な肌にも優しいので、乳幼児及び使用者にも快適に使用することができる。
【００１６】
第３の考案によれば、授乳用ケープの不使用時は、常にポケット内に収納されているから、急な外出をしても、母親は外出先で乳幼児に授乳が可能である。
【００１７】
第４の考案によれば、肩当て材は、クッション材を内蔵すると共に、面ファスナーを介して前記帯状肩掛けに摺動かつ着脱自在であるから、乳幼児用スリングの使用者が替わっても、使用者の体格等に適合する肩掛けの部位に肩当て材を摺動して移動させ、好適に使用できる。
【００１８】
第５〜第７の考案の考案によれば、授乳用ケープは、平面視略方形又は台形状のシート状布体からなり、少なくとも、前記乳幼児包持部の開口を全面的に被覆する大きさとし、かつ上周縁に首掛紐と該首掛紐の長さ調節用半円リングを止着し、また授乳用ケープの下端裏面部に面ファスナーを逢着し、さらに授乳用ケープ収納用ポケットの蓋片裏面には面ファスナーを逢着しているので、使用者が替わっても、首掛紐の長さ調節用半円リングを介して使用者の体格等に適合する首掛紐の長さに容易に調整することができる。また外出先での乳幼児への授乳時はもちろん、寒冷時又は風雨が強い天候不良時は、ケープの下端裏面部の面ファスナーを、蓋片裏面の面ファスナーにこれを止着すれば、乳幼児の防寒、防風雨対策ともなる。
【考案を実施するための最良の形態】
【００１９】
以下、本考案に係る、乳幼児用スリング（以下、スリングＳという）における最良の実施形態を、図面を参照しながら説明する。図１は、スリングＳの斜視図、図２（ａ）は、本体部の平面展開図、図２（ｂ）は、帯状肩掛けの平面展開図、図３は、肩当て材の平面展開図、図４は、授乳用ケープの平面展開図、図５は、スリングＳの使用状態を示す斜視図、
図６は、スリングＳの使用状態を示す背面斜視図、図７は、授乳用ケープの使用状態を示す斜視図である。
【００２０】
図１はスリングＳを構成する部材を示し、本体部１は、乳幼児包持部（以下、包持部２という）、帯状肩掛け（以下、肩掛け３という）及び該肩掛け３の長さを調整する長さ調整具４からなる。５は肩当て材、６は首掛紐付き授乳用ケープ（以下、ケープという）で、包持部２に形成されたポケット７内に収納されている。
【００２１】
包持部２は、図２（ａ）に示すように、綿繊維１００％の矩形状布体１０を、例えば長辺Ｌを約８０ｃｍ〜９０ｃｍ、短辺Ｗを約５０ｃｍ〜５５ｃｍに裁断し、該矩形状布体１０の中心部Ｃから両端にへ対称的に略同寸長さＬ１及びＬ２とした部位２ａ、２ｂを窄め、中心部Ｃ近傍を幅広状にして、上部を開口２ｃし、底部２ｄは曲面としたゆりかご状に縫製している。包持部２の上周縁は補強片２ｅが縫着されている。ポケット７は、ケープ６を折り畳んで収納するためのもので、包持部２の外周面の底部に包持部２と同素材、同色の布体を縫着して形成され、蓋片７ａは、包持部２に縫着され、また蓋片７ａの裏面には面ファスナー７ｂ、例えばマジックテープ（登録商標：（株）クラレ）が止着されている。図２（ｂ）に示す肩掛け３は、包持部２と同じ布体を１〜複数回重合してなり、それぞれの端部３ａ、３ｂは、包持部２の両端部位２ａ、２ｂに縫着されている。長さ調整具４は、金属又は硬質樹脂製からなり、肩掛け３に摺動自在に装着されている。
【００２２】
図３に示す肩当て材５は、包持部２と同素材の布体からなり、肩当接部５ａには、例えば発泡ウレタンフォーム等の軽量なクッション材５ｂが内蔵され、肩掛け３に着脱かつ摺動可能となるように、雌雄一対からなる面ファスナー５ｄ、５ｅが止着されている。
【００２３】
図４は、ケープ６を示し、包持部２と同素材又は別素材を用いて、少なくとも、包持部２の開口２ｃを全面的に被覆する大きさとした、方形又は台形状に裁断して製作され、その上周縁の一端には首掛紐６ａが、他端には該首掛紐６ａの長さを調節するための半円リング６ｂ、６ｃが止着されている。またケープ６の下端裏面部には、面ファスナー６ｄが止着されている。
【００２４】
図５は、スリングＳの使用状態を示し、ＭはスリングＳの使用者、例えば母親で、使用者Ｍは、首がすわっていない乳幼児Ｂの場合は、スリングＳを装着前に長さ調整具４を介して、自己の体格等に適切な肩掛け３の長さを調整すると共に、肩当て５を、適合する肩掛け３の部位に摺動して調整した後、乳幼児Ｂを包持部２内の底部２ｄに載置し、使用者Ｍは、肩掛け３を両手Ｍ１、Ｍ２で引き上げ、左右何れかの肩に肩掛け３を袈裟掛けして使用する。乳幼児Ｂは、使用者Ｍの左右乳房の何れか近傍に頭部が配置されるので、乳幼児Ｂへの授乳は、近くの乳房から行い、次に他方の乳房で授乳するときは、使用者Ｍは、スリングＳを両手Ｍ１、Ｍ２で、いったん上方に抱き上げるようにしてから、該スリングＳを他方の乳房方向にずらせば、簡単にその位置に頭部が配置されるので、肩掛け３を外すことなく授乳することができる。首がすわってきた乳幼児Ｂの場合は、スリングＳを肩掛けしてから、乳幼児Ｂを抱き抱えて包持部２内に入れて使用する等、乳幼児Ｂの体の成育状態によって適宜に使い分けすることができる。
【００２５】
図６は、スリングＳを使用した背面状態で、肩掛け３は、左肩から右腰部に襷掛け状態に支持される。左肩には肩当て材５が当接されているので、肩掛け３が肩部にくい込むことがなく、スリングＳを長時間使用することができる。またその背面姿勢の見映えも美麗であると共に、腰部への荷重も軽減される。
【００２６】
図７は、ケープ６の使用状態を示し、使用者Ｍによる外出先での乳幼児Ｂへの授乳時、周囲に他人がいるときは、包持部２のポケット７内からケープ６を取り出し、首掛紐６ａを使用者Ｍの頸部に掛吊して授乳する。また寒冷時や風雨が強い天候不良時には、使用者Ｍは、ケープ６を頸部に掛吊すると共に、ポケット７の蓋片７ａを起立させ、該蓋片７ａの面ファスナー７ｂとケープ６の下端裏面部に止着されている面ファスナー６ｄと係止させてから授乳する。これにより乳幼児Ｂへの授乳は、悪天候等に煩わされることなく行われ、また風邪等の発症を未然に防止することができる。
【図面の簡単な説明】
【００２７】
【図１】は、本考案に係る、スリングＳの斜視図である。
【図２】（ａ）は、本体部の平面展開図である。（ｂ）は、帯状肩掛けの平面展開図            である。
【図３】は、肩当て材の平面展開図である。
【図４】は、授乳用ケープの平面展開図である。
【図５】は、スリングＳの使用状態を示す斜視図である。
【図６】は、スリングＳの使用状態を示す背面斜視図である。
【図７】は、授乳用ケープの使用状態を示す斜視図である。
【符号の説明】
【００２８】
Ｓ                    スリング
Ｃ                    中心部
１                    本体部
２                    包持部
３                    肩掛け
４                    長さ調整具
５                    肩当て材
６                    ケープ
７                    ポケット
１０                  矩形状布体
２ａ、２ｂ            両端部位
２ｃ                  開口
２ｄ                  底部
２ｅ                  補強片
３ａ、３ｂ            端部
５ｂ                  クッション材
５ｄ、５ｅ            面ファスナー
６ａ                  首掛紐
６ｂ、６ｃ            半円リング
６ｄ                  面ファスナー
７ａ                  蓋片
７ｂ                  面ファスナー
【図１】
0003125717.tif 000003
【図２】
0003125717.tif 000004
【図３】
0003125717.tif 000005
【図４】
0003125717.tif 000006
【図５】
0003125717.tif 000007
【図６】
0003125717.tif 000008
【図７】
0003125717.tif 000009